(57)【要約】【課題】ノズル頭部を小型に構成することができ、しかも流体の噴出方向を観察窓に向けて個体によるバラツキなく正確に曲げることができる前方視型内視鏡の先端部を提供すること。【解決手段】流路孔６が、流体噴出ノズル１０が差し込まれて固定された先端側のノズル差込孔部６Ａと、流体噴出ノズル１０に後側から真っ直ぐに連通する連通孔部６Ｂとを備えていて、ノズル差込孔部６Ａが、連通孔部６Ｂの観察窓３寄り部分の延長領域Ｐが塞がれた非円形の断面形状に形成され、流体噴出ノズル１０が、ノズル差込孔部６Ａ内で回転することができないようにノズル差込孔部６Ａにガタつきなく嵌め込まれる断面形状に形成されて、先端部本体２に固定されている。【選択図】      図１
2011015774.tif 000002
【特許請求の範囲】
【請求項１】
挿入部の最先端部を構成する先端部本体の先端面に前方に向けて観察窓が配置されると共に、流体噴出ノズルが、上記先端部本体に前後方向に貫通形成された流路孔の先端部分に前方から差し込まれてそこに固定され、上記流路孔内を通った流体が上記流体噴出ノズルから上記観察窓の表面に向けて噴出されるように構成された前方視型内視鏡の先端部において、
上記流路孔が、上記流体噴出ノズルが差し込まれて固定された先端側のノズル差込孔部と、上記流体噴出ノズルに後側から真っ直ぐに連通する連通孔部とを備えていて、
上記ノズル差込孔部が、上記連通孔部の上記観察窓寄り部分の延長領域が塞がれた非円形の断面形状に形成され、
上記流体噴出ノズルが、上記ノズル差込孔部内で回転することができないように上記ノズル差込孔部にガタつきなく嵌め込まれる断面形状に形成されて、上記先端部本体に固定されていることを特徴とする前方視型内視鏡の先端部。
【請求項２】
上記ノズル差込孔部の内壁の断面形状が略Ｄ字状に形成されて、その内壁の平面部が上記観察窓の位置する方向に向けられている請求項１記載の前方視型内視鏡の先端部。
【請求項３】
上記流体噴出ノズルは、上記ノズル差込孔部内に差し込まれる接続基部が、上記ノズル差込孔部の内壁の円弧状部に内接する断面形状が略Ｃ字状のＣ字状壁からなり、上記先端部本体の先端面から突出するノズル頭部には、上記観察窓の位置する方向に向けて開口する噴出口が形成されている請求項２記載の前方視型内視鏡の先端部。
【請求項４】
上記噴出口が、上記接続基部のＣ字状壁の壁欠損部分をそのまま延長して形成されている請求項３記載の前方視型内視鏡の先端部。
【請求項５】
上記流路孔の連通孔部の内壁の断面形状が円形に形成されていて、その中心軸線の延長線と上記ノズル差込孔部の内壁の円弧状部の円弧の中心軸線とが一致している請求項３又は４記載の前方視型内視鏡の先端部。
【請求項６】
上記ノズル頭部が、上記接続基部のＣ字状壁の外周線を円形に延長した円形の断面形状の屋根部を備えている請求項３ないし５のいずれかの項に記載の前方視型内視鏡の先端部。
【請求項７】
上記ノズル頭部が、上記接続基部のＣ字状壁の壁欠損部分を延長して形成された噴出口を矩形状に囲む屋根部を備えている請求項４又は５記載の前方視型内視鏡の先端部。
【発明の詳細な説明】
【技術分野】
【０００１】
この発明は前方視型内視鏡の先端部に関する。
【背景技術】
【０００２】
前方視型内視鏡においては一般に、挿入部の最先端部を構成する先端部本体の先端面に前方に向けて観察窓が配置されると共に、内視鏡検査の最中に観察窓に付着した粘液等を洗い流すことができるよう、水や空気を噴出させるための流体噴出ノズルが、観察窓の表面に向けて先端部本体の先端面に突出配置されている。
【０００３】
そのような流体噴出ノズルの頭部（以下、「ノズル頭部」という）は、水や空気の噴出方向を観察窓の表面に向けて正確に曲げることができる構成にする必要があり、観察窓に対し接近した位置に設けないと十分な洗浄能力が得られない場合が少なくない。
【０００４】
しかし、流体噴出ノズルの頭部が大きくて観察窓に接近していると、その部分が観察画面内に入って視野を妨げてしまい、観察画面外であっても、照明光を観察窓側に反射させてフレアーやゴースト等の発生原因になって観察画像を劣化させてしまう場合がある。したがって、流体噴出ノズルの頭部は極力小型化するのが望ましい。
【０００５】
そのような流体噴出ノズルは、先端部本体の流路孔に差し込み接続される接続基部と、先端部本体の先端面から突出するノズル頭部とからなり、上述のようにノズル頭部を小型に構成することができ、且つ流体の噴出方向を観察窓に向けて正確に曲げることができるようにすることが課題とされている。
【０００６】
そこで従来の前方視型内視鏡においては、流体噴出ノズルの接続基部にその中心軸線に対し偏心した流体通路を形成し、先端部本体の先端面から突出するノズル頭部には、接続基部の肉厚の厚い側に向きを合わせて噴出口が形成された構成をとることで、流体噴出ノズルの小型化を図っていた（例えば、特許文献１）。
【先行技術文献】
【特許文献】
【０００７】
【特許文献１】特開２０００−８３８９０
【発明の概要】
【発明が解決しようとする課題】
【０００８】
しかし、特許文献１に記載された発明においては、製造工程において、流体噴出ノズルの接続基部を先端部本体の流路孔に差し込むと、その状態で流体噴出ノズルが接続基部の軸線周りに自由に回転する。
【０００９】
そのため、作業者の手加減で噴出口の向きを観察窓の方に向けてから、流体噴出ノズルを先端部本体に溶接等で固定することになり、噴出口の向きがまちまちになって、観察窓の洗浄能力にバラツキが発生してしまう場合があった。
【００１０】
本発明は、ノズル頭部を小型に構成することができ、しかも流体の噴出方向を観察窓に向けて個体によるバラツキなく正確に曲げることができる前方視型内視鏡の先端部を提供することを目的とする。
【課題を解決するための手段】
【００１１】
上記の目的を達成するため、本発明の前方視型内視鏡の先端部は、挿入部の最先端部を構成する先端部本体の先端面に前方に向けて観察窓が配置されると共に、流体噴出ノズルが、先端部本体に前後方向に貫通形成された流路孔の先端部分に前方から差し込まれてそこに固定され、流路孔内を通った流体が流体噴出ノズルから観察窓の表面に向けて噴出されるように構成された前方視型内視鏡の先端部において、流路孔が、流体噴出ノズルが差し込まれて固定された先端側のノズル差込孔部と、流体噴出ノズルに後側から真っ直ぐに連通する連通孔部とを備えていて、ノズル差込孔部が、連通孔部の観察窓寄り部分の延長領域が塞がれた非円形の断面形状に形成され、流体噴出ノズルが、ノズル差込孔部内で回転することができないようにノズル差込孔部にガタつきなく嵌め込まれる断面形状に形成されて、先端部本体に固定されているものである。
【００１２】
なお、ノズル差込孔部の内壁の断面形状が略Ｄ字状に形成されて、その内壁の平面部が観察窓の位置する方向に向けられていてもよい。そして、流体噴出ノズルは、ノズル差込孔部内に差し込まれる接続基部が、ノズル差込孔部の内壁の円弧状部に内接する断面形状が略Ｃ字状のＣ字状壁からなり、先端部本体の先端面から突出するノズル頭部には、観察窓の位置する方向に向けて開口する噴出口が形成されていてもよい。
【００１３】
そして、噴出口が、接続基部のＣ字状壁の壁欠損部分をそのまま延長して形成されていてもよく、流路孔の連通孔部の内壁の断面形状が円形に形成されていて、その中心軸線の延長線とノズル差込孔部の内壁の円弧状部の円弧の中心軸線とが一致していてもよい。
【００１４】
また、ノズル頭部が、接続基部のＣ字状壁の外周線を円形に延長した円形の断面形状の屋根部を備えていてもよく、或いは、ノズル頭部が、接続基部のＣ字状壁の壁欠損部分をそのまま延長して形成された噴出口を矩形状に囲む屋根部を備えていてもよい。
【発明の効果】
【００１５】
本発明によれば、ノズル差込孔部が、連通孔部の観察窓寄り部分の延長領域が塞がれた非円形の断面形状に形成され、流体噴出ノズルが、ノズル差込孔部内で回転することができないようにノズル差込孔部にガタつきなく嵌め込まれる断面形状に形成されて、先端部本体に固定されていることにより、ノズル頭部を小型に構成することができ、しかも流体の噴出方向を観察窓に向けて個体によるバラツキなく正確に曲げることができる。
【図面の簡単な説明】
【００１６】
【図１】本発明の第１の実施例に係る前方視型内視鏡の挿入部先端の部分拡大側面断面図である。
【図２】本発明の第１の実施例に係る前方視型内視鏡の挿入部先端付近の斜視図である。
【図３】本発明の第１の実施例に係る前方視型内視鏡の図１におけるIII−III断面図である。
【図４】本発明の第１の実施例に係る前方視型内視鏡の流体噴出ノズルの斜視図である。
【図５】本発明の第１の実施例に係る前方視型内視鏡の図１におけるＶ−Ｖ断面図である。
【図６】本発明の第２の実施例に係る前方視型内視鏡の流体噴出ノズルの斜視図である。
【発明を実施するための形態】
【００１７】
以下、図面を参照して本発明の実施例を説明する。
図２は、本発明の第１の実施例に係る前方視型内視鏡の挿入部１の先端部分を示している。挿入部１の最先端に連結配置された先端部本体２の先端面２ａには、前方に向けて観察窓３が配置されていて、先端部本体２の前方を観察することができる。先端部本体２の先端面２ａには、照明窓４や処置具突出口５等も観察窓３と並んで配置されている。
【００１８】
また、先端部本体２の先端面２ａには、内視鏡検査の最中に観察窓３に付着した粘液等を洗い流すことができるよう、水又は／及び空気を噴出させるための流体噴出ノズル１０が、観察窓３の表面に噴出口を向けて突出配置されている。
【００１９】
図１は、そのような前方視型内視鏡の先端部を示している。３は前出の観察窓である。先端部本体２には、水や空気が通る流路孔６が、前後方向（図１において上下方向）に真っ直ぐに貫通形成されている。
【００２０】
流路孔６は、流体噴出ノズル１０が先端部本体２の先端面２ａ側から差し込まれて固定された先端側のノズル差込孔部６Ａと、流体噴出ノズル１０にその後側から真っ直ぐに連通する連通孔部６Ｂと、挿入部１内に挿通配置された送気又は／及び送水のための配管７の先端部分が連通孔部６Ｂの後側位置において接続固着された配管接続孔部６Ｃとからなっている。
【００２１】
連通孔部６Ｂと配管接続孔部６Ｃは共に内壁の断面形状が円形であって、双方の中心軸線位置が合致している。Ｘは、その共通の中心軸線である。ただし、配管接続孔部６Ｃ側の構成についてはどの様な態様であっても差し支えない。
【００２２】
ノズル差込孔部６Ａは、連通孔部６Ｂの観察窓３寄り部分の前方の延長領域Ｐが穿孔されずに塞がれた非円形の断面形状に形成されている。以下その領域を「Ｐ領域」という。具体的には、III−III断面を図示する図３に示されるように、ノズル差込孔部６Ａの内壁の断面形状が略Ｄ字状に形成されている。
【００２３】
図３と図１に示されるように、ノズル差込孔部６Ａの内壁の円弧状部の円弧の中心軸線は、連通孔部６Ｂの中心軸線Ｘの延長線と一致している。そして、略Ｄ字状の断面形状をなすノズル差込孔部６Ａの内壁の平面部（即ち、Ｐ領域に面する平面壁）６ａが、観察窓３の位置する方向に向けられている。
【００２４】
流体噴出ノズル１０は、ノズル差込孔部６Ａ内に差し込まれる接続基部１１と、先端部本体２の先端面２ａから突出するノズル頭部１２からなり、図４に示されるように、接続基部１１とノズル頭部１２とが、頭部側端面が塞がれた一本の円筒状素材を加工して形成されている。
【００２５】
具体的には、接続基部１１は、図３に示されるようにノズル差込孔部６Ａの内壁の円弧状部に内接する略Ｃ字状の断面形状のＣ字状壁のみからなり、ノズル差込孔部６Ａ内で回転できないようにノズル差込孔部６Ａにガタつきなく嵌め込まれて、そこに接着又は溶接等されることで先端部本体２に固定されている。したがって、先端部本体２に対する流体噴出ノズル１０の取り付けの向きは部品によって一義的に定まる。
【００２６】
なお、前述のように、ノズル差込孔部６Ａの内壁の円弧状部の円弧の中心軸線は、連通孔部６Ｂの中心軸線Ｘの延長線と一致しており、流体噴出ノズル１０の軸線もそれと一致している。また、接続基部１１のＣ字状壁の中心軸線（即ち、円弧状部の中心軸線）もそれと一致している。
【００２７】
図１及びＶ−Ｖ断面を図示する図５に示されるように、ノズル頭部１２には観察窓３の
位置する方向に向けて開口する噴出口１３が形成されている。この実施例の噴出口１３は、図４に示されるように、接続基部１１のＣ字状壁の壁欠損部分をそのままノズル頭部１２側に延長して形成されている。
【００２８】
ノズル頭部１２の外形形状は、円筒状素材そのままであり、接続基部１１の円弧状部の外周線を円形に延長した円形断面形状の屋根部１４を備えている。したがって、この実施例の流体噴出ノズル１０は、ノズル頭部１２が大きく出っ張ることなく極めて小型に構成することができる。
【００２９】
噴出口１３は、先端部本体２の先端面２ａにおけるＰ領域の前方位置に位置しており、その部分で水路が観察窓３の表面に向けて略直角に曲げられている。その結果、配管７内を送られてきた水や空気が、流路孔６の連通孔部６Ｂから接続基部１１内を通ってノズル頭部１２で向きを変え、噴出口１３から観察窓３の表面に向かって噴出される。
【００３０】
そのような流体噴出ノズル１０を先端部本体２に取り付ける組立工程において、先端部本体２に対する流体噴出ノズル１０の取り付けの向きは調整が不要であって、流体噴出ノズル１０の接続基部１１を流路孔６のノズル差込孔部６Ａに差し込めば、流体噴出ノズル１０の噴出口１３が観察窓３に正しく向いた状態にバラツキなくセットされる。したがって、水や空気の噴出方向を個体によるバラツキなく観察窓３に向けて正確に曲げることができる。
【００３１】
図６は、本発明の第２の実施例に係る流体噴出ノズル１０を示しており、ノズル頭部１２の屋根部１４が、接続基部１１のＣ字状壁の壁欠損部分を延長して形成された噴出口１３を矩形状に囲む形状に形成されている。
【００３２】
このように構成すると、第１の実施例に比べてノズル頭部１２が少し大きくなるが、噴出口１３から噴出する水や空気の流れを観察窓３の表面に向けてより安定した状態に制御することができ、隅部に微細なゴミ等が詰まり難く、詰まっても清掃し易い等のメリットが生じる。
【符号の説明】
【００３３】
１  挿入部
２  先端部本体
２ａ  先端面
３  観察窓３
６  流路孔
６ａ  平面部
６Ａ  ノズル差込孔部
６Ｂ  連通孔部
１０  流体噴出ノズル
１１  接続基部
１２  ノズル頭部
１３  噴出口
１４  屋根部
Ｐ  連通孔部の観察窓寄りの部分の延長領域であって穿孔されていない領域
Ｘ  中心軸線
【図１】
2011015774.tif 000003
【図２】
2011015774.tif 000004
【図３】
2011015774.tif 000005
【図４】
2011015774.tif 000006
【図５】
2011015774.tif 000007
【図６】
2011015774.tif 000008